(57)【要約】【課題】  受信中の周波数に対する隣接局の妨害となり得る周波数からの影響を防ぎ、受信品質を向上させるＦＭラジオ受信機を得る。【解決手段】  受信電波を周波数変換して得た中間周波数信号を復調して出力される音声信号のレベルが所定レベル以下の場合に局部発振周波数をシフトさせ、選択された希望周波数を所定周波数に切換える制御回路１３と、切り換えた所定周波数の電界強度を検出する回路１２と、検出した電界強度が所定レベル以上の場合、中間周波数信号のＩＦカウント値をカウントするカウンタ１１と、制御回路１３の出力に基づき周波数変換部３・中間周波数増幅器７の利得を調整するＡＧＣ制御部１０とを備え、ＩＦカウント値が中心周波数から所定範囲内の場合、切り換えた所定の周波数を選択した希望の周波数に戻し、狭帯域通過フイルタ５ｂを選択すると共に、ＡＧＣ制御部１０の利得を下げる。【選択図】        図１
2007013653.tif 000002
【特許請求の範囲】
【請求項１】
受信した電波の中から選択された希望の周波数と局部発振周波数から中間周波数を取り出す周波数変換手段と、該周波数変換手段からの中間周波数の帯域幅を異なる帯域幅でそれぞれ制限する広帯域通過フィルタおよび挟帯域通過フィルタと、該帯域通過フィルタのいずれかを通過した中間周波数信号を増幅し、復調してもとの音声信号を取り出す復調手段と、該復調手段の出力信号に応じて電界強度を検出する電界強度検出手段と、該電界強度検出手段で検出された電界強度が所定レベル以上の場合、上記中間周波数信号のＩＦカウント値をカウントするＩＦカウンタと、上記復調手段から出力される音声信号のレベルが予め定められた所定レベル以下の場合に上記局部発振周波数をシフトさせ、上記選択された希望の周波数を所定の周波数に切換える制御、上記ＩＦカウンタからのＩＦカウント値が中心周波数から予め定められた所定範囲内の場合、上記切り換えられた所定の周波数を上記選択された希望の周波数に戻し、隣接妨害の発生の可能性ありと判断して、帯域通過フィルタとして上記狭帯域通過フイルタを選択する制御、上記周波数変換手段および上記復調手段における利得を調整する制御を行う制御手段とを備えたＦＭラジオ受信機。
【請求項２】
上記復調手段から出力される音声信号のレベルを測定し、その結果を上記制御手段へ出力する出力レベル判定手段を備えたことを特徴とする請求項１記載のＦＭラジオ受信機。
【請求項３】
上記制御手段により制御され、上記広帯域通過フィルタおよび上記狭帯域通過フイルタのいずれかを選択するフイルタ切換手段を備えたことを特徴とする請求項１または２記載のＦＭラジオ受信機。
【発明の詳細な説明】
【技術分野】
【０００１】
この発明は、車両等に搭載して好適なＦＭラジオ受信機に関し、特に、ＦＭ放送を受信したい希望局に対する隣接局からの妨害による受信品質の劣化を防止できるＦＭラジオ受信機に関するものである。
【背景技術】
【０００２】
この種の従来装置として、ＩＦ信号を帯域制限する広帯域および挟帯域通過フィルタと、ＩＦ信号の周波数をカウントするＩＦカウンタを備え、所定の時間間隔でＩＦカウンタのカウント値が所定の検出範囲内にあるか否かを判断し、検出範囲外にある場合は隣接妨害周波数が発生したとして検出し、その検出結果に応じて挟帯域通過フィルタを選択し、その出力信号を次段の回路に伝送するものがある（例えば、特許文献１参照）。
【０００３】
【特許文献１】特許第３２６３６５０号公報
【発明の開示】
【発明が解決しようとする課題】
【０００４】
従来装置は以上のように構成されているので、所定の時間間隔で隣接妨害周波数の有無の確認を行なっているので、隣接妨害周波数の発生を検出して挟帯域通過フィルタを選択し、同調周波数を受信周波数からずらしたときに、高い音量で音楽などの音声が再生中である場合、ユーザーに音切れ感を感じさせるという課題があった。
【０００５】
この発明は、上記のような課題を解決するためになされたもので、ユーザーに音切れ感を感じさせることなく、受信中の周波数に対する隣接局の妨害となり得る周波数からの影響を防ぎ、受信品質を向上させるＦＭラジオ受信機を得ることを目的とする。
【課題を解決するための手段】
【０００６】
この発明に係るＦＭラジオ受信機は、受信した電波の中から選択された希望の周波数と局部発振周波数から中間周波数を取り出す周波数変換手段と、該周波数変換手段からの中間周波数の帯域幅を異なる帯域幅でそれぞれ制限する広帯域通過フィルタおよび挟帯域通過フィルタと、該帯域通過フィルタのいずれかを通過した中間周波数信号を増幅し、復調してもとの音声信号を取り出す復調手段と、該復調手段の出力信号に応じて電界強度を検出する電界強度検出手段と、該電界強度検出手段で検出された電界強度が所定レベル以上の場合、上記中間周波数信号のＩＦカウント値をカウントするＩＦカウンタとを備え、制御手段は上記復調手段から出力される音声信号のレベルが予め定められた所定レベル以下の場合に上記局部発振周波数をシフトさせ、上記選択された希望の周波数を所定の周波数に切換える制御、上記ＩＦカウンタからのＩＦカウント値が中心周波数から予め定められた所定範囲内の場合、上記切り換えられた所定の周波数を上記選択された希望の周波数に戻し、隣接妨害の発生の可能性ありと判断して、帯域通過フィルタとして上記狭帯域通過フイルタを選択する制御、上記周波数変換手段および上記復調手段における利得を調整する制御を行うものである。
【発明の効果】
【０００７】
この発明は、復調手段から出力される音声信号のレベルが予め定められた所定レベル以下の場合に上記局部発振周波数をシフトさせ、上記選択された希望の周波数を所定の周波数に切換える制御を行うようにしたことにより、同調周波数を受信周波数からずらし、妨害となる強い電界の隣接周波数の有無を検出するときに、ユーザーに音切れ感を感じさせることなく、受信中の周波数に対する隣接周波数からの影響を防ぎ、ＦＭラジオ受信機の受信品質を向上させることができるという効果がある。
【発明を実施するための最良の形態】
【０００８】
以下、この発明の実施の一形態を、図１〜図３を参照して説明する。
実施の形態１．
図１は、この発明の実施の形態１によるＦＭラジオ受信機を示す構成図である。
図１において、この発明の実施の形態１によるＦＭラジオ受信機は、放送局の電波を受信する受信アンテナ１と、受信した電波の中から希望の周波数を選択する同調回路および選択された周波数を増幅する高周波増幅器を有するＲＦ回路２と、ＲＦ回路２の出力周波数と後述の局部発振周波数から中間周波数を取り出す周波数変換部３と、局部発振周波数を発生して周波数変換部３へ供給する局部発振器４と、周波数変換部３からの中間周波数の帯域幅を異なる帯域幅でそれぞれ制限する広帯域通過フィルタ５ａおよび狭帯域通過フイルタ５ｂと、複数の帯域通過フィルタ５ａ、５ｂのいずれかを選択する帯域通過フイルタ切換器６とを備える。
【０００９】
また、この発明の実施の形態１によるＦＭラジオ受信機は、帯域通過フィルタ５ａまたは５ｂを通過した中間周波数を増幅する中間周波数増幅器７と、中間周波数増幅器７を通った信号を復調し、もとの音声信号を取り出す検波器８と、検波器８から出力される音声信号レベルを判定する出力レベル判定回路９と、ＲＦ回路２と中間周波数増幅器７での利得を調整するＡＧＣ制御部１０と、中間周波数増幅器７の出力信号の周波数をカウントするＩＦカウンタ１１と、中間周波数増幅器７の出力信号に応じて電界強度を検出する電界強度検出回路１２と、ＩＦカウンタ１１のカウント値及び電界強度検出回路１２で検出された受信電界強度に応じて帯域通過フィルタ切換器６、ＡＧＣ制御部１０および局部発振器４を制御する制御手段としての制御回路１３を備える。
【００１０】
なお、ＲＦ回路２、周波数変換部３および局部発振器４は、受信した電波の中から選択された希望の周波数と局部発振周波数から中間周波数を取り出す周波数変換手段を実質的に構成し、中間周波数増幅器７および検波器８は、帯域通過フィルタ５ａまたは５ｂのいずれかを通過した中間周波数信号を増幅し、復調してもとの音声信号を取り出す復調手段を実質的に構成する。
【００１１】
次に、図２のフローチャートを参照して、図１のＦＭラジオ受信機の動作を説明する。
ＦＭラジオ受信機は、通常受信状態にあり、制御回路１３の出力でその切り替えを制御される帯域通過フィルタ切換器６により広帯域通過フイルタ５ａが選択され、広帯域通過フィルタ５ａのＩＦ信号がＦＭ検波される(ステップＳＴ１)。
通常受信中、制御回路１３によって隣接妨害が発生する恐れがあるか否かの検出動作が開始される。まず、初めに、検波器８から出力される音声信号レベルを出力レベル判定回路９で測定する(ステップＳＴ２)。このレベルが予め定められた所定レベル以下か否かの判断を出力レベル判定回路９で行なう(ステップＳＴ３)。検波器８から出力される音声信号レベルが所定レベルを超える場合、制御回路１３は待機状態となり(ステップＳＴ４)、所定時間(例えば６０秒)経過するとステップＳＴ２に戻り、再度検波器８から出力される音声信号レベルを出力レベル判定回路９で測定する(ステップＳＴ２)。
【００１２】
ステップＳＴ３において、検波器８から出力される音声信号レベルが所定レベル以下であった場合、制御回路１３は、局部発振器４の局部発振周波数をシフトさせ、ｆ±１００kHzおよびｆ±２００kHzにＲＦ回路２における同調回路で選択される同調周波数を切換える(ステップＳＴ５)。受信周波数ｆとそれに対する隣接周波数との関係は、図３のとおりである。仕向け先によって、チャンネル間の周波数ステップが異なるため、例えばアメリカ向けラジオの場合は、確認する周波数をf±２００kHzおよびf±４００kHzとする。
【００１３】
また、受信周波数が受信帯域幅において下限周波数である場合は、ｆ−１００kHz、ｆ−２００kHzの確認は行なわず、受信周波数が下限周波数から１ステップ上の周波数である場合、ｆ−２００kHzの確認は行なわず、受信周波数が受信帯域幅において上限周波数である場合は、ｆ＋１００kHz、ｆ＋２００kHzの確認は行なわず、受信周波数が上限周波数から１ステップ下の周波数である場合、f＋２００kHzの確認は行なわないものとする。また、図３中には、矢印ａから矢印ｅのように同調させる順序を図示しているが、この順序や一度の確認で同調する周波数の数は任意であり、音切れ時間を短縮させることが望ましい。
【００１４】
ステップＳＴ５において、同調周波数が切換えられると、電界強度検出回路１２において受信周波数ｆ±１００kHzおよびｆ±２００kHzの電界強度の測定を瞬時に行なう。この際に、中間周波数増幅器７の出力信号は電界強度検出回路１２に印加され、電界強度が測定される。電界強度検出回路１２の出力信号は制御回路１３に取り込まれ、電界強度が測定される(ステップＳＴ６)。ｆ±１００kHz、ｆ±２００kHzそれぞれにおいて妨害となり得る電界強度が予め定められており、測定された電界強度がこの所定レベル以上か否かの判断を制御回路１３で行なう(ステップＳＴ７)。
【００１５】
検出された電界強度が所定レベル以上であった場合、中間周波数増幅器７からの出力信号のＩＦカウント値をＩＦカウンタ１１でカウントし(ステップＳＴ８)、制御回路１３はそのカウント値を取り込み、その値が中心周波数１０．７ＭＨｚから予め定められた所定範囲内か否かを判定する(ステップＳＴ９)。この時点で同調周波数を受信周波数ｆに戻す(ステップＳＴ１０)。ＩＦカウンタ１１で検出されたカウント値が所定範囲内であった場合、隣接妨害の発生の可能性ありと判断し、制御回路１３は帯域通過フィルタ切換器６とＡＧＣ制御部１０に検出信号を送信する。この検出信号を受信した帯域通過フイルタ切換器６は狭帯域通過フイルタ５ｂを選択する制御を行ない(ステップＳＴ１１)、ＡＧＣ制御部１０は利得を下げる制御(ステップＳＴ１２)を行なうことを可能とし、隣接妨害周波数からの影響を防ぎ、受信状態が改善される。
【００１６】
その後、制御回路１３は待機状態となり(ステップＳＴ１３)、所定時間(例えば６０秒)経過するとステップＳＴ２に戻り、隣接妨害周波数の有無を再び検出し始める。ステップＳＴ７において、検出された電界強度が所定レベル未満であった場合、およびステップＳＴ９において検出されたカウント値が所定範囲外であった場合、ＲＦ回路２における同調回路で選択される同調周波数を受信周波数ｆに戻し(ステップＳＴ１４)、制御回路１３は隣接妨害は発生しないと判断し、広帯域通過フイルタ５ａを設定する切換信号を帯域通過フィルタ切換器６に発生する(ステップＳＴ１５)。その後、制御回路１３は待機状態となり（ステップＳＴ１６）、所定時間(例えば６０秒)経過するとステップＳＴ２に戻り隣接妨害周波数の有無を再び検出し始める。
【００１７】
以上のように、この実施の形態１によれば、検波出力レベルが所定レベル以下となる極力無音に近い低レベルで音声出力されている間に妨害となる隣接局の有無を確認することにより、ユーザーに音切れ感を感じさせることなく、受信中の周波数に対する隣接局の有無を確認し、妨害となり得る電界の強い隣接局が確認された場合は、ＡＧＣ制御部や帯域通過フィルタを制御し、妨害となり得る周波数からの影響を防ぎ、受信品質を向上させることができる。
【図面の簡単な説明】
【００１８】
【図１】この発明の実施の形態１によるＦＭラジオ受信機を示す構成図である。
【図２】この発明の実施の形態１によるＦＭラジオ受信機の動作説明をするためのフローチャートである。
【図３】この発明の実施の形態１によるＦＭラジオ受信機において同調させる順序を示す周波数特性図である。
【符号の説明】
【００１９】
１  受信アンテナ、２  ＲＦ回路、３  周波数変換部、４  局部発信器、５ａ  広帯域通過フィルタ、５ｂ  挟帯域通過フィルタ、６  帯域通過フイルタ切換器（フイルタ切換手段）、７  中間周波数増幅器、８  検波器、９  出力レベル判定回路（出力レベル判定手段）、１０  ＡＧＣ制御部、１１  ＩＦカウンタ、１２  電界強度検出回路（電界強度検出手段）、１３  制御回路。
【図１】
2007013653.tif 000003
【図２】
2007013653.tif 000004
【図３】
2007013653.tif 000005